(57)【要約】【課題】手荷物ケース（１００）のための調節可能な仕切り構成を提供する。【解決手段】手荷物ケース（１００）は、内部格納容積（１０２）を画定する複数の壁と、内部格納容積（１０２）を第１の格納容積（１４２）に分離すると共に、対向する壁（１４４）に対して相対的に移動可能に取り付けられた、内部仕切り（１４０）と、内部仕切り（１４０）に位置付けられ、対向する壁（１４４）において又はその付近でそれぞれが接続された、少なくとも２つのストラップ（１８０）と、内部仕切り（１４０）上に取り付けられたバックル（１９０）と、を含む。各バックル（１９０）は内部仕切り（１４０）をストラップ（１８０）に固定し、それにより内部仕切り（１４０）を対向する壁（１４４）からの様々な高さ（Ｈ）に位置付ける。【選択図】図２
2018114286.tif 000002
【特許請求の範囲】
【請求項１】
内部格納容積を画定する複数の壁であって、前記複数の壁は、対向する大面積面と複数の側壁とを含む、複数の壁と、
前記内部格納容積を、内部仕切りと対向する壁との間に画定された第１の格納容積に分離する前記内部仕切りであって、前記内部仕切りは前記対向する壁に対して相対的に移動可能に取り付けられ、前記内部仕切りは仕切りパネルである、内部仕切りと、
前記内部仕切りの対向する端又は側の近くに位置付けられた少なくとも２つのストラップであって、手荷物ケースの前記複数の壁のうちの少なくとも１つであって、前記対向する壁において又はその付近でそれぞれが接続された、少なくとも２つのストラップと、
前記内部仕切り上に取り付けられた少なくとも１つのバックルであって、前記バックルは対応するストラップを、前記ストラップの長さに沿った様々な位置において調節可能に把持して、前記ストラップの前記長さに沿った様々な位置において前記内部仕切りを前記ストラップに固定し、それにより前記内部仕切りを前記手荷物ケースの前記対向する壁からの様々な高さに位置付ける、少なくとも１つのバックルと、を備える、
手荷物ケース。
【請求項２】
前記内部仕切りは、前記内部仕切りの周辺の少なくとも一部の周りで、又は前記内部仕切りの周辺の実質的に全ての周りで、前記手荷物ケースの前記複数の側壁に接合された、請求項１に記載の手荷物ケース。
【請求項３】
前記内部仕切りは、前記内部仕切りの前記周辺の少なくとも一部を前記手荷物ケースの周辺の少なくとも一部に結合するガセット、又は可撓性の布のガセットをさらに含む、請求項２に記載の手荷物ケース。
【請求項４】
前記内部仕切りは、又は前記内部仕切りと前記ガセットとは、前記第１の格納容積を完全に閉鎖する、請求項２又は請求項３に記載の手荷物ケース。
【請求項５】
前記少なくとも２つのストラップは、前記内部仕切りの対向するコーナーに位置付けられた４つのストラップを含む、
請求項１〜請求項４のいずれか一項に記載の手荷物ケース。
【請求項６】
前記内部仕切りは、前記手荷物ケースの分割線に少なくとも隣接して前記手荷物ケースに接合された、請求項１〜請求項５のいずれか一項に記載の手荷物ケース。
【請求項７】
前記分割線は、第１のシェルと第２のシェルとを、前記第１のシェルと前記第２のシェルがそれぞれ、大面積面と前記大面積面から延在する複数の対向する側壁とを含むように画定する、請求項６に記載の手荷物ケース。
【請求項８】
前記内部仕切りは、その中に画定された選択的な開口を、前記内部仕切りを通した前記第１の格納容積への選択的なアクセスを可能にするために含む、請求項１〜請求項７のいずれか一項に記載の手荷物ケース。
【請求項９】
前記開口は、ジッパークロージャによって選択的に開かれ又は閉じられる、請求項８に記載の手荷物ケース。
【請求項１０】
前記内部仕切りは周辺フレームを含み、前記周辺フレームは、複数の細長いロッドであってそれらのうちの少なくとも２つが互いに接続された、複数の細長いロッドを含む、請求項１〜請求項９のいずれか一項に記載の手荷物ケース。
【請求項１１】
前記内部仕切りは、前記周辺フレームに結合された平面状パネル、又は可撓性の布のパネルを含む、請求項１０に記載の手荷物ケース。
【請求項１２】
前記平面状パネルは、前記内部格納容積の形状及びサイズに対応する、請求項１１に記載の手荷物ケース。
【請求項１３】
前記少なくとも１つのバックルは、前記内部仕切りの前記周辺フレームに結合される、請求項１０〜請求項１２のいずれか一項に記載の手荷物ケース。
【請求項１４】
前記対向する壁からの前記内部仕切りへの距離に基づいて、前記内部仕切りを前記対向する壁に向けて又は前記対向する壁から離れるようにバイアスする複数のコーナー部材を更に含む、請求項１〜請求項１３のいずれか一項に記載の手荷物ケース。
【請求項１５】
前記複数のコーナー部材は、前記周辺フレームを所定の位置に配置し保持する半硬質のストリップ、又は可撓性のストラップである、請求項１３に従属する場合の請求項１４に記載の手荷物ケース。
【請求項１６】
前記複数のコーナー部材は前記周辺フレームのコーナーに配置され、前記手荷物ケース内で対角線状に延在する、請求項１３に従属する場合の請求項１４又は請求項１５に記載の手荷物ケース。
【請求項１７】
前記手荷物ケースは、少なくとも１つのシェルを含み、
前記内部仕切りは、前記少なくとも１つのシェルにおいて備えられる、
請求項１〜請求項１６のいずれか一項に記載の手荷物ケース。
【請求項１８】
前記対向する壁は、前記手荷物ケースの大面積面の背面である、請求項１〜請求項１７のいずれか一項に記載の手荷物ケース。
【請求項１９】
前記少なくとも２つのストラップはそれぞれ、前記内部仕切りの下で前記手荷物ケースの前記複数の壁のうちの前記少なくとも１つに接続された、請求項１〜請求項１８のいずれか一項に記載の手荷物ケース。
【発明の詳細な説明】
【技術分野】
【０００１】
本開示は一般に手荷物用品に関し、特に、手荷物ケースのための調節可能な内部仕切り構成に関する。
【背景技術】
【０００２】
手荷物ケース内の内容物を少なくとも部分的に固定すること、及び／又は手荷物ケースの内部容積を別個のコンパートメント（１又は複数）に仕切ることが望ましいことが多い。したがっていくつかの手荷物ケースは内部仕切りを含み、前記内部仕切りは、前記ケースの内部に、前記ケースの底壁から固定された高さの平坦な位置において備えられ、且つ一般に前記手荷物ケースの２つの対向するシェルの間の中央に備えられ、内部ケース容積を別個のコンパートメントに分離する。前記内部仕切りは、仕切られたコンパートメントへのアクセスを可能にするために移動可能な場合があり、ただし一般に固定された高さにおいて移動可能である。そのような手荷物ケースは多くの場合、内容物を所定の位置に保持するために、前記内部仕切りの下に別個のテンションシステムを含む。従来のテンションシステムは、内部仕切りなしで使用される場合もあり、前記内容物を押さえ付けるウェブ又は弾性部材を用いた交差ストラップシステムを含む。しかし前記交差ストラップは均一な圧力を生成せず、したがって衣類に折り目又はしわを発生させる。いくつかの手荷物ケースにおいて、前記内部仕切り（１又は複数）はまた、手荷物ケースに完全には固定されず、前記内部仕切りと前記ケースとの間に隙間を呈し、前記隙間を通して使用者の内容物の望ましくないずれが発生する場合がある。
【０００３】
したがって、上述の問題のうちの１つ又は全てに対処する、且つ／又はより一般的に既存の構成の改良又は代替を提供する、改良された手荷物ケースを提供すること、特に、内部仕切りを手荷物ケースに調節可能に結合するための改良された仕切り構成を提供することが望ましい。
【０００４】
本開示に関連する可能性がある文献としては、中国実用新案出願第２０５６５８５１０号明細書、欧州特許第０３７９４３８号明細書、欧州特許第２２３０９５９号明細書、欧州特許第２９０４９２６号明細書、仏国特許第２７１１０４４号明細書、仏国特許出願公開第２９２１２３７号明細書、米国特許第６４３５３２４号明細書、及び米国特許第８６０７９４７号明細書が含まれる。
【発明の概要】
【０００５】
本開示は、以下に記載され、添付の特許請求の範囲において規定される手荷物ケースのための調節可能な仕切り構成を提供する。本開示は有利には、移動可能な内部仕切りの改良された調節を前記手荷物ケースにもたらす仕切り構成を提供する。例えば、本開示による前記仕切り構成は、前記内部仕切りが前記手荷物ケース内に移動可能に取り付けられることを可能にしてもよい。前記内部仕切りは、前記内部仕切りの下に位置付けられた内容物に対抗して前記内部仕切りを押し付けるために、１又は複数のストラップ及びバックル構成を介して前記手荷物ケース内に調節可能に固定されてもよい。前記内部仕切りの広い平坦な領域により、前記内容物に対する均一な圧力が生成され、それにより、前記内部仕切りの下に固定された衣類のしわが制限され得る。さらに、前記内部仕切りにより、前記ケースの内容物がケース内で圧縮されることが可能になり、それにより、ケース内により多くの物品を荷詰めできるようになる。好ましくは、前記内部仕切りは、小さな物品が前記内部仕切りの下から出てケース開口内に捕捉され且つ／又は前記ケースの閉鎖を妨げることを回避するために、前記手荷物ケースの側壁に固定される。前記内部仕切りはまた、好ましくは、容易な荷詰めのために前記内部仕切りを前記手荷物ケースの対向する壁から離れるよう持ち上げるために、バネバイアス下で取り付けられる。
【０００６】
本開示の実施形態は、手荷物ケースのための調節可能な仕切り構成を含んでもよい。前記手荷物ケースは、内部格納容積を画定する複数の壁と、前記内部格納容積を第１の格納容積に分離する内部仕切りと、前記内部仕切りの対向する端又は側の近くに位置付けられた少なくとも２つのストラップであって、前記手荷物ケースの前記壁のうちの少なくとも１つにそれぞれが接続された、少なくとも２つのストラップと、前記内部仕切り上に取り付けられた少なくとも１つのバックルと、を含んでもよい。前記複数の壁は、対向する大面積面と複数の側壁とを含んでもよい。前記第１の格納容積は、前記内部仕切りと、対向する壁、好ましくは大面積面との間に画定されてもよい。前記仕切りは、前記対向する壁に対して相対的に移動可能に取り付けられてもよい。各ストラップは、前記手荷物ケースの前記壁のうちの少なくとも１つに、前記対向する壁において又はその付近で接続されてもよい。各バックルは対応するストラップを、前記ストラップの長さに沿った様々な位置において調節可能に把持して、前記ストラップの前記長さに沿った様々な位置において前記内部仕切りを前記ストラップに固定し、それにより前記内部仕切りを前記手荷物ケースの前記対向する壁からの様々な高さに位置付けてもよい。
【０００７】
いくつかの実施形態では、内部仕切りは、前記内部仕切りの周辺の少なくとも一部の周りで、及び好ましくは前記内部仕切りの周辺の実質的に全ての周りで、手荷物ケースに、及び好ましくは前記手荷物ケースの側壁に接合されてもよい。前記内部仕切りは、内部仕切りの周辺の少なくとも一部を前記手荷物ケースの周辺の少なくとも一部に結合するガセットを、及び好ましくは可撓性の布のガセットを含んでもよい。前記仕切りは、及び好ましくは前記仕切りと前記ガセットとは、前記第１の格納容積を完全に閉鎖してもよい。
【０００８】
いくつかの実施形態では、少なくとも２つのストラップは、前記内部仕切りの対向するコーナーに位置付けられた４つのストラップを含んでもよい。
【０００９】
いくつかの実施形態では、内部仕切りは、手荷物ケースの分割線に少なくとも隣接して前記手荷物ケースに接合されてもよい。前記分割線は、第１のシェルと第２のシェルとを、各シェルが大面積面と前記大面積面から延在する複数の対向する側壁とを含むように画定してもよい。
【００１０】
いくつかの実施形態では、内部仕切りは、その中に画定された選択的な開口（ｓｅｌｅｃｔｉｖｅ  ｏｐｅｎｉｎｇ）を、前記内部仕切りを通した前記第１の格納容積への選択的なアクセスを可能にするために含んでもよい。前記開口は、ジッパークロージャによって選択的に開かれてもよく且つ／又は閉じられてもよい。
【００１１】
いくつかの実施形態では、内部仕切りは周辺フレームを含んでもよく、前記周辺フレームは、好ましくは、複数の細長いロッドであってそれらのうちの少なくとも２つが互いに接続された、複数の細長いロッドを含む。前記内部仕切りは、前記周辺フレームに結合された平面状パネル、好ましくは可撓性の布のパネルを含んでもよい。前記平面状パネルは、前記内部格納容積の形状及びサイズに一致してもよい。前記少なくとも１つのバックルは、前記内部仕切りの前記周辺フレームに結合されてもよい。
【００１２】
いくつかの実施形態では、前記手荷物ケースは、前記対向する壁からの前記内部仕切りの距離に基づいて、前記内部仕切りを前記対向する壁に向けて、及び／又は前記対向する壁から離れるようにバイアスする複数のコーナー部材を含む。前記コーナー部材は、前記周辺フレームを所定の位置に配置し保持する半硬質のストリップ又は可撓性のストラップであってもよい。前記コーナー部材は前記周辺フレームのコーナーに配置されてもよく、前記手荷物ケース内で対角線状に延在してもよい。
【００１３】
いくつかの実施形態では、手荷物ケースは、少なくとも１つのシェルを含んでもよい。前記内部仕切りは、前記少なくとも１つのシェルにおいて備えられてもよい。
【００１４】
いくつかの実施形態では、前記対向する壁は、前記手荷物ケースの大面積面のリア表面又は内部表面であってもよい。
【００１５】
いくつかの実施形態では、各ストラップは、前記内部仕切りの下で前記手荷物ケースの前記壁のうちの前記少なくとも１つに接続されてもよい。
【００１６】
追加の実施形態及び特徴は、以下の説明において部分的に述べられ、本明細書を検討することにより当業者にとって明らかとなり、又は開示される主題の実施によって知ることができる。本開示の本質及び利点のさらなる理解は、本明細書の残りの部分と、この開示の一部を形成する図面とを参照することによって実現可能である。本開示の様々な態様及び特徴のそれぞれは、いくつかの場合には別個に、又は他の場合には本開示の他の態様及び特徴と組み合わせて、有利に使用されてもよいということを当業者は理解するであろう。
【００１７】
説明は、以下の図面を参照すればより十分に理解されるであろう。図面において、構成要素は一定の縮尺で描かれているわけではない。図面は本開示の様々な実施形態として提示されるものであり、本開示の範囲の完全な記述と解釈されるべきではない。
【図面の簡単な説明】
【００１８】
【図１】閉じた構成における手荷物ケースの上面斜視図である。
【図２】開いた構成における、且つ対向する壁の近くに位置付けられた内部仕切りを含む、図１の手荷物ケースの上面斜視図である。
【図３Ａ】前記内部仕切りが前記対向する壁から離れて位置付けられた、図２の手荷物ケースの上面斜視図である。
【図３Ｂ】前記内部仕切りが選択的に開かれた、図３Ａの手荷物ケースの上面斜視図である。
【図４】仕切り構成の概略図であり、前記手荷物ケースの前記対向する壁から離れて位置付けられた前記内部仕切りを示す。
【図５】前記仕切り構成の別の概略図であり、前記手荷物ケースの前記対向する壁の近くに位置付けられた前記内部仕切りを示す。
【図６】バックルの斜視図である。
【図７】前記バックルの非限定的な一例の断面図である。
【図８】前記バックルの非限定的な別の例の断面図である。
【図９】図８のバックルの別の断面図である。
【図１０】図８のバックルの別の断面図である。
【図１１】本発明の一実施形態による前記仕切り構成の内部フレーム構造の概略図である。
【発明を実施するための形態】
【００１９】
本開示によれば、手荷物ケースの内部格納容積内に内部仕切りを調節可能に取り付けるための調節可能な仕切り構成が提供される。前記仕切り構成は、前記内部仕切りの対向する端又は側の近くに位置付けられた少なくとも２つのストラップであって、前記手荷物ケースの壁のうちの少なくとも１つに、前記内部仕切りに対向する壁において又はその付近でそれぞれが接続された、少なくとも２つのストラップと、前記内部仕切り上に取り付けられた少なくとも１つのバックルとを含む。各バックルは対応するストラップを、前記ストラップの長さに沿った様々な位置において調節可能に把持して、前記ストラップの前記長さに沿った様々な位置において前記内部仕切りを前記ストラップに固定し、それにより前記内部仕切りを対向する壁からの様々な高さに位置付けてもよい。
【００２０】
図１〜図３Ｂに示す本開示の一実施形態によれば、手荷物ケース１００は、内部格納容積１０２であってその中で使用者の所有物を運ぶための内部格納容積１０２を画定する複数の壁又はパネル（便宜上、以下では「壁」とするが、これに限定することは意図しない）から形成されたハウジングを含む。一実施形態では、手荷物ケース１００は矩形の形状であってもよく、分割線１０８によって画定された第１のシェル１０４及び第２のシェル１０６などの、少なくとも１つのシェルを含む。手荷物ケース１００は、閉じた構成（図１を参照）と開いた構成（図２を参照）との間を転換可能であってもよい。例えば、第１のシェル１０４と第２のシェル１０６とは（例えばヒンジ構造又は同様の機構を介して）互いに枢動可能に装着されてもよい。そのような実施形態において、第１のシェル１０４及び第２のシェル１０６は、手荷物ケース１００を閉じるため又は開くために、それぞれ、互いに向けて又は互いから離れるように枢動されてもよい。前記ヒンジ構造は、とりわけ、布ストリップ、連続ヒンジ、一体ヒンジ、間隔の空いた離散ヒンジ、ジッパー構造、エラストマー材料で作られた関節継手などであってもよい。
【００２１】
好ましい実施形態では、手荷物ケース１００は直立型のスピナーケース（図１を参照）であり、しかし任意のタイプの一般的な手荷物ケースであってもよい。一実施形態では、分割線１０８は、第１のシェル及び第２のシェル１０６を、各シェルが大面積面１２０と大面積面１２０から延在する複数の対向する側壁１２２とを含むように画定する。対向する側壁１２２は一緒になって、第１のシェル１０４及び第２のシェル１０６のそれぞれの周辺エッジ１２４を、第１のシェル１０４と第２のシェル１０６との間の分割線１０８において画定する。いくつかの実施形態では、第１のシェル１０４及び第２のシェル１０６のうちの少なくとも１つに、周辺エッジ１２４において、フレームが結合されてもよい。第１のシェル１０４及び第２のシェル１０６は、それぞれフロントシェル及びリアシェル、又は蓋及びベースであってもよく、これらは互いに同一のサイズにされてもよく、又は前記シェルのうちの一方（例えば前記リアシェル）がより大きな又はより小さな内部容積を含むサイズにされてもよい。分割線１０８は、手荷物ケース１００に沿った長手方向に、第１のシェル１０４及び第２のシェル１０６の大面積面１２０に実質的に平行に延在してもよい。いくつかの実施形態では、分割線１０８は折れ曲がっていてもよく、又は手荷物ケース１００の少なくとも１つの大面積面１２０に対して相対的に傾いて延在してもよい。いくつかの実施形態では、手荷物ケース１００は、底端壁上に位置付けられた１又は複数の支持部材をさらに含んでもよい。いくつかの実施形態では、前記支持部材は足である。いくつかの実施形態では、前記支持部材は、底端壁上に位置付けられたスピナーホイールなどの複数のホイールである。前記複数のホイールは、前記フロントシェル及び／又は前記リアシェルの底端壁上に位置付けられてもよい。いくつかの実施形態では、前記手荷物ケースは、側壁若しくは端壁上に位置付けられた１若しくは複数のキャリーハンドル、及び／又は、前記手荷物ケースの上面若しくは端壁から伸張可能な格納式の牽引ハンドルも含んでもよい。
【００２２】
特定の用途に応じて、手荷物ケース１００は閉鎖機構１２６を含んでもよい。閉鎖機構１２６は、手荷物ケース１００の開放及び閉鎖を使用者が選択的に作動させることを可能にするために、第１のシェル１０４及び第２のシェル１０６のそれぞれの周辺エッジ１２４に沿って固定されていてもよい。開いた構成において、閉鎖機構１２６は分割線１０８の実質的に全長に沿って係合解除されており、第１のシェル１０４及び第２のシェル１０６は、部分的な開放から完全な開放までの任意の量まで互いに相対的に枢動することが可能である。閉鎖機構１２６は、本明細書中では主としてジッパークロージャとして開示されるが、分割線１０８に沿って離散的に間隔をあけられた複数の閉鎖機構（例えば１又は複数のラッチ）をこれに限定されずに含むその他のタイプの閉鎖機構も企図される。
【００２３】
本明細書中に記載するように、且つ図２〜図３Ｂに示すように、手荷物ケース１００は、内部格納容積１０２を複数の格納部分に分離する内部仕切り１４０を含む。一実施形態では、内部仕切り１４０は内部格納容積１０２を、内部仕切り１４０と手荷物ケース１００の対向する壁１４４との間に画定される第１の格納容積又はコンパートメント１４２（便宜上、以下では「第１の格納容積」とするが、これに限定することは意図しない）に分離する（図３Ｂ〜図５を参照）。特定の用途に応じて、対向する壁１４４は、手荷物ケース１００のハウジングを画定する壁のうちの任意のものであってもよい。しかし好ましい実施形態では、対向する壁１４４は、手荷物ケース１００の大面積面１２０のうちの１つである。例えば一実施形態では、第１の格納容積１４２は、内部仕切り１４０と、手荷物ケース１００のフロント面又はリア面のうちの１つとの間に画定されてもよい。
【００２４】
以下に記載するように、内部仕切り１４０は、手荷物ケース１００の内部格納容積１０２内に移動可能に取り付けられる。例えば、内部仕切り１４０は矩形の形状であってもよく、少なくとも１つのシェルにおいて（例えば、第１のシェル１０４において、第２のシェル１０６において、又は第１のシェル１０４及び第２のシェル１０６のそれぞれにおいて）備えられてもよい。各実施形態において、内部仕切り１４０は、対向する壁１４４に対して相対的に移動可能に取り付けられる。そのような実施形態において、内部仕切り１４０は、いろいろな量又は容積の衣類などの、様々な量又は容積の使用者所有物を第１の格納容積１４２内に固定するために、対向する壁１４４に向けて又は対向する壁１４４から離れるように移動してもよい。例えば、内部仕切り１４０は、増加した量の及び／又は増加した容積のユーザ所有物を第１の格納容積１４２内に固定するために、対向する壁１４４から離れて位置付けられてもよい（図４を参照）。同様に、内部仕切り１４０は、減少した量の及び／又は減少した容積のユーザ所有物を第１の格納容積１４２内に固定するために、対向する壁１４４の近くに位置付けられてもよい（図５を参照）。
【００２５】
一実施形態では、内部仕切り１４０は、様々な容積の使用者所有物を第１の格納容積１４２内に収容するために、手荷物ケース１００に調節可能に結合されてもよい。例えば、内部仕切り１４０は、対向する壁１４４に対して相対的に移動し、第１の格納容積１４２内の使用者所有物に対抗して締め付けられてもよい。例えば、減少した容積の使用者所有物を第１の格納容積１４２内に収容するために、内部仕切り１４０は、対向する壁１４４に向けて移動し、第１の位置において、使用者所有物に対抗して締め付けられてもよい（図５を参照）。増加した容積の使用者所有物を第１の格納容積１４２内に収容するために、またより一般的に、より容易な初期の荷詰めを可能にするために、内部仕切り１４０は、対向する壁１４４から離れるように移動し、次に第２の位置において又はその近くで使用者所有物に対抗して締め付けられてもよい（図４を参照）。またこれにより、使用者の所有物が手荷物ケース１００内に固定されるだけでなく、使用者の所有物及び内容物が圧縮されて、より多くの空間が手荷物ケース１００の内部容積の残りの中で他の所有物のために許容される。
【００２６】
内部仕切り１４０は、様々な手法で手荷物ケース１００に結合されてもよい。一実施形態では、内部仕切り１４０は、内部仕切り１４０の周辺の少なくとも一部の周りで、及び好ましくは内部仕切り１４０の周辺の実質的に全ての周りで、手荷物ケース１００に封止的に接合又は結合されてもよい。好ましい実施形態では、内部仕切り１４０は手荷物ケース１００の側壁１２２に接合される。特定の用途に応じて、内部仕切り１４０は、大面積面１２０と周辺エッジ１２４との間の任意の位置において、例えばとりわけ、周辺エッジ１２４において、又は周辺エッジ１２４の下で、側壁１２２に接合されてもよい。例えば、内部仕切り１４０は、手荷物ケース１００の分割線１０８に少なくとも隣接して側壁１２２に接合されてもよい。図２〜図５に示す一実施形態では、ガセット１５０によって、内部仕切り１４０の周辺の少なくとも一部が、例えば側壁１２２によって画定された手荷物ケース１００の周辺の少なくとも一部に結合されてもよい。一実施形態では、内部仕切り１４０及び／又はガセット１５０は、第１のシェル１０４又は第２のシェル１０６の周辺エッジ１２４に隣接して延在するフレームに接合されてもよい。ガセットを有する実施形態において、ガセット１５０は、対向する壁１４４に対して相対的な内部仕切り１４０の移動を可能にするように構成されてもよい。例えば、ガセット１５０は、好ましくは可撓性であり、例えば可撓性の布材料から形成される。以下に記載するように、内部仕切り１４０は、及び好ましくは内部仕切り１４０とガセット１５０とは、第１の格納容積１４２を完全に閉鎖してもよい。例えば、ガセット１５０は、小さな物品の、第１の格納容積１４２からの望ましくない除去を、又は第１の格納容積１４２内への望ましくない挿入を制限するために、内部仕切り１４０を手荷物ケース１００に対して封止してもよい。
【００２７】
好ましい実施形態では、内部仕切り１４０は周辺フレーム１６０を含む（図４及び図５を参照）。周辺フレーム１６０は、内部格納容積１０２内で内部仕切り１４０を支持する。例えば、内部仕切り１４０は平面状パネル１６２を含んでもよい。平面状パネル１６２は可撓性であってもよく、例えば可撓性の布材料から形成されてもよい。いくつかの実施形態では、平面状パネル１６２は半剛性であってもよい。例えば、平面状パネル１６２は、スクリーンを画定するために半剛性材料を用いてオーバー射出された（ｏｖｅｒ−ｉｎｊｅｃｔｅｄ）、パネル又は射出されたフレーム（ｉｎｊｅｃｔｅｄ  ｆｒａｍｅ）であってもよい。平面状パネル１６２は、平面状パネル１６２が少なくとも部分的にぴんと張った状態に維持されるように、周辺フレーム１６０に装着されてもよい。いくつかの実施形態では、平面状パネル１６２は、内部格納容積１０２の形状及びサイズに一致してもよい。
【００２８】
周辺フレーム１６０は、実質的に任意の手法で構成されてもよい。好ましい実施形態では、周辺フレーム１６０は、ブレンドされた鋼線（ｂｌｅｎｄｅｄ  ｓｔｅｅｌ  ｗｉｒｅ）から実質的に任意の断面形状（例えば正方形形状、円形、楕円形など）に形成された引き抜き成形体などの複数の細長いロッド１６４を含む。ロッド１６４のうちの少なくとも２つは互いに接続されてフレーム構造を画定してもよく、前記フレーム構造は、１又は複数の側壁１２２に隣接して延在してもよい。特定の実施形態に応じて、周辺フレーム１６０は、内部仕切り１４０の周辺の周りに、又は少なくとも部分的に内部仕切り１４０の周辺の周りに延在してもよい。本明細書中に記載する各実施形態において、周辺フレーム１６０は、内部仕切り１４０が対向する壁１４４に対して相対的に移動するにつれて、手荷物ケース１００の側壁１２２に移動して隣接してもよい。特定の実施形態に応じて、周辺フレーム１６０は、所望の美的及び／又は機能的特性を提供するために、側壁１２２に密に隣接して位置付けられてもよく、又は側壁１２２から離間されてもよい。例えば、周辺フレーム１６０を側壁１２２から離間することによって、ガセット１５０は伸長されてもよく、それにより、内部仕切り１４０が対向する壁１４４に向けて、又は対向する壁１４４から離れるように、より大きな量だけ移動することが可能になる。
【００２９】
内部仕切り１４０は、利便性のためのその他の特徴を含んでもよい。図２〜図３Ｂに示す一実施形態では、内部仕切り１４０は、その中に（例えば平面状パネル１６２内に）画定された選択的開口１７０を、内部仕切り１４０を通した第１の格納容積１４２へのアクセスを可能にするために含んでもよい。
開口１７０は、第１の格納容積１４２への選択的なアクセスを可能にするために選択的に開かれてもよく（図３Ｂを参照）閉じられてもよい（図２及び図３Ａを参照）。例えば、開口１７０は、ジッパークロージャ１７２によって選択的に開かれてもよく閉じられてもよい。ジッパークロージャ１７２は、前記フレーム構造の外周に、又は前記フレーム構造の外周内に位置付けられてもよい。以下により十分に記載するように、開口１７０は、対向する壁１４４に対して相対的に移動する内部仕切り１４０とは無関係に、選択的に開かれてもよく閉じられてもよい。例えば、限定されないが、内部仕切り１４０は、開口１７０が開かれているか閉じられているかに関係なく、対向する壁１４４に向けて又は対向する壁１４４から離れるように移動してもよい。同様に、開口１７０は、対向する壁１４４に対して相対的な内部仕切り１４０の位置に関係なく、開かれてもよく又は閉じられてもよい。
【００３０】
あるいは、内部仕切り１４０の下の第１の格納容積１４２へのアクセスを可能にするために、内部仕切り１４０がその周辺の少なくとも部分にわたって壁から解放されることが可能なように、内部仕切り１４０は手荷物ケース１００の壁にジッパーを介して直接接合されてもよい。例えば、内部仕切り１４０は、手荷物ケース１００の側壁１２２及び／又は大面積面１２０にジッパーテープを介して接合されてもよい。ジッパーテープの一方の半分は手荷物ケース１００に、及びジッパーテープの他方の半分は内部仕切り１４０に、とりわけ、縫合、接着剤、及び／又はシーム溶接などによって装着されてもよい。
【００３１】
手荷物ケース１００は、内部格納容積１０２内での内部仕切り１４０の移動を制御するように構成された、且つ／又は内部仕切り１４０の位置を調節するように構成された、少なくとも１つのストラップ１８０（例えば、少なくとも１つのストラップ、少なくとも２つのストラップ、４つのストラップなど）を含む（図２〜図５を参照）。例えば以下で説明するように、各ストラップ１８０は、対向する壁１４４に対して相対的な内部仕切り１４０の位置を画定するように、例えば内部仕切り１４０が対向する壁１４４から離れる移動の程度を制限するように、調節されてもよい。一実施形態では、１又は複数のストラップ１８０の実効長は、内部仕切り１４０を対向する壁１４４に向けて移動して第１の格納容積１４２の容積を減らすために短縮されてもよい（例えば締め付けられてもよい）。一実施形態では、第１の格納容積１４２の容積を減らすことによって、第１の格納容積１４２内に位置付けられた内容物に対抗して内部仕切り１４０は締め付けられてもよい。例えば以下に記載するように、１又は複数のストラップ１８０は、内部仕切り１４０を第１の格納容積１４２内に位置付けられた前記内容物に対抗して、前記内容物が所望の量だけ圧縮されるように押し付けるために、締め付けられてもよい。例えば各ストラップ１８０は、輸送中の第１の格納容積１４２内での前記内容物の移動を制限するために、内部仕切り１４０を前記内容物に対抗して押し付けるように調節されてもよい。内部仕切り１４０が平面状パネル１６２を含む実施形態において、平面状パネル１６２は、従来の弾性ストラップ圧縮システムに比較して増加した、第１の格納容積１４２内の前記内容物に係合するように構成された表面積を提供してもよい。平面状パネル１６２の増加した表面積により、前記内容物のより大きな面積にわたって均一な圧力が提供され得、これにより例えば、第１の格納容積１４２内に固定された衣類のしわが制限され得る。
【００３２】
同様に、１又は複数のストラップ１８０の前記実効長は、内部仕切り１４０が対向する壁１４４から離れるように移動することを可能にするために伸長されてもよい（例えば緩められてもよい）。例えば、ストラップ１８０（１又は複数）は、第１の格納容積１４２の容積を増加するために伸長されてもよい。一実施形態では、第１の格納容積１４２の容積を増加することによって、第１の格納容積１４２内に位置付けられた前記内容物に対して内部仕切り１４０は緩められてもよい。加えて又は代替として、第１の格納容積１４２の容積を増加することによって、使用者が第１の格納容積１４２内に所望の内容物を配置すること、例えば、第１の格納容積１４２を所望の量の衣類で充填することが可能になり得る。
【００３３】
図４及び図５に示す一実施形態において、各ストラップ１８０は、内部仕切り１４０の端又は側の近くに位置付けられてもよく、且つ、手荷物ケース１００の壁のうちの少なくとも１つに、例えば対向する壁１４４において又はその付近で接続されてもよい。２つ以上のストラップ１８０を含む実施形態において、ストラップ１８０は、内部仕切り１４０の対向する端の移動及び／又は位置を制御するために、内部仕切り１４０の対向する端又は側に位置付けられてもよい。例えば、少なくとも２つのストラップ１８０は、内部仕切り１４０の各対向する端のそれぞれのコーナーに隣接して位置付けられてもよい。好ましい実施形態では、手荷物ケース１００は、内部仕切り１４０の４つのコーナーに又はその近くに位置付けられた４つのストラップ１８０を含む。好ましくは、各ストラップ１８０は、内部仕切り１４０の下で手荷物ケース１００に接続され、例えば、内部仕切り１４０に対向する大面積面１２０に又はそれに隣接して接続される（図４及び図５を参照）。一実施形態では、各ストラップ１８０は、手荷物ケース１００の対向する壁１４４に接続されてもよい。各ストラップ１８０は可撓性であってもよく、例えば可撓性のウェブ材料から形成されてもよい。
【００３４】
手荷物ケース１００は、内部仕切り１４０上に取り付けられた少なくとも１つのバックル１９０（例えば１つのバックル、２つのバックル、４つのバックルなど）を、例えば各ストラップ１８０と対応するように含む（図４及び図５を参照）。そのような実施形態において、各ストラップ１８０は、内部仕切り１４０を内部格納容積１０２内に固定するために、手荷物ケース１００から対応するバックル１９０まで延在してもよい。各バックル１９０は、その対応するストラップ１８０を調節可能に把持して、内部仕切り１４０を対向する壁１４４から所望の距離又は高さ（Ｈ）だけ離して位置付けてもよい。例えば、各バックル１９０はその対応するストラップ１８０を、ストラップ１８０の長さに沿った様々な位置において調節可能に把持して、対応するストラップ１８０の前記長さに沿った様々な位置において内部仕切り１４０をストラップ１８０に固定してもよく、それにより内部仕切り１４０、例えば内部仕切り１４０の端は、手荷物ケース１００の対向する壁１４４からの様々な高さＨに位置付けられてもよい（図４及び図５を参照）。いくつかの実施形態では、各バックル１９０は、内部仕切り１４０を対向する壁１４４に向けて引くためにストラップ１８０が締め付けられる際に対応するストラップ１８０に自動的にロックされるようにバイアスされてもよい。加えて又は代替として、各バックル１９０は、以下により十分に記載するように、ストラップ１８０が反対方向に移動することを可能にし、内部仕切り１４０が対向する壁１４４から離れるように移動されることを可能にするために、選択的に解放可能であってもよい。
【００３５】
各バックル１９０は、様々な手法で内部仕切り１４０に取り付けられてもよい。例えば以下に記載するように、各バックル１９０の少なくとも一部は平面状パネル１６２に取り付けられてもよい。加えて又は代替として、各バックル１９０の少なくとも一部は、内部仕切り１４０の周辺フレーム１６０に取り付けられてもよい。各バックル１９０は内部仕切り１４０に解放可能に又は固定的に固定されてもよい。例えば、各バックル１９０の少なくとも一部は、周辺フレーム１６０の一部と一体に形成されてもよい。加えて又は代替として、各バックル１９０の部分は、内部仕切り１４０に（例えば平面状パネル１６２に）縫合、溶接、及び／又は接着取り付けされてもよい。
【００３６】
各バックル１９０は、対応するストラップ１８０を調節可能に把持するように機能する実質的に任意の構成を含んでもよい。一実施形態では、各バックル１９０は、対応するストラップ１８０が一方の方向ではバックル１９０に対して相対的に自由に移動し得るように、しかし反対の方向ではバックル１９０に対して相対的に移動することが制限され得るように構成されてもよい。例えば、内部仕切り１４０が第１の格納容積１４２内の内容物に対抗して締め付けられることを可能にするために、ストラップ１８０はバックル１９０に対して相対的に第１の方向において（例えば図４及び図５では上向きに）自由に移動してもよい。例えば各バックル１９０は、ストラップ１８０の実効長（すなわち内部仕切り１４０と手荷物ケース１００との間のストラップ１８０の長さ）を減らすために、ストラップ１８０がバックル１９０に対して相対的に第１の方向において自由に移動できるように構成されてもよい。内部仕切り１４０の緩みを制限するために、ストラップ１８０はバックル１９０に対して相対的に第２の方向において（例えば図４及び図５では下向きに）移動することを制限されてもよい。例えば、ストラップ１８０の望ましくない伸長を制限するために、各バックル１９０は、ストラップ１８０のバックル１９０に対して相対的な第２の方向における移動により、バックル１９０とストラップ１８０との間の把持が増加するように構成されてもよい。
【００３７】
非限定的な一例において、各バックル１９０は、第１の部材１９２と第２の部材１９４とを含んでもよい（図６及び図７を参照）。以下により十分に記載するように、第１の部材１９２及び第２の部材１９４は、対応するストラップ１８０を調節可能に把持するために、第１の部材１９２に対して相対的な第２の部材１９４のある程度の移動を許可する手法で、互いにインターロックされてもよい。第１の部材１９２は、キャビティ１９８を間に画定する一対の対向する壁１９６を含んでもよく、ストラップ１８０はキャビティ１９８を通って延在するように構成される。図７に示すように、第１の部材１９２の底に近付くにつれてキャビティ１９８がより狭い幅を含むように、対向する壁１９６は互いに向けて収束してもよい。以下に記載するように、対向する壁１９６の収束する性質により、バックル１９０の調節可能な把持の性質が促進され得る。いくつかの実施形態では、第１の部材１９２は、対向する壁１９６のうちの少なくとも１つから離れるように延在するフランジ２００を含んでもよい。そのような実施形態では、フランジ２００は、バックル１９０を内部仕切り１４０に取り付けるために内部仕切り１４０に結合されてもよい。例えば、限定されないが、平面状パネル１６２がフランジ２００に縫合されてもよい（図４及び図５を参照）。加えて又は代替として、周辺フレーム１６０が、周辺フレーム１６０の一部を囲む構造などを介してフランジに結合され、フランジ２００に縫合されてもよい（図４及び図５に示す破線の構造を参照）。
【００３８】
第２の部材１９４は第１の部材１９２とインターロックするように構成されてもよい。例えば、図７〜図９に示す実施形態において、第２の部材１９４は、第１の部分２１０と、第１の部分２１０から延在する第２の部分２１２とを含んでもよい。第２の部分２１２は、第１の部材１９２において画定されたキャビティ１９８内に少なくとも部分的に挿入されるようなサイズ及び形状にされてもよい。そのような実施形態において、各バックル１９０は、ストラップ１８０を調節可能に把持するための、第２の部分２１２に結合された係合部材２２０を含んでもよい。係合部材２２０は、第２の部分２１２に回転可能に結合されたローラー２２２であってもよい。以下で説明するように、ストラップ１８０の長さに沿った様々な位置において内部仕切り１４０をストラップ１８０に固定するために、ローラー２２２は、バックル１９０を通したストラップ１８０の選択的な移動を許可してもよく、同時に、ストラップ１８０とバックル１９０との間の選択的な把持を提供してもよい。例えば、ローラー２２２は、ストラップ１８０が締め付けられる際にストラップ１８０に自動的にロックされるようにバイアスされてもよい。そのような実施形態において、ローラー２２２は、以下に記載するように、ストラップ１８０を係合解除するために選択的に解放可能であってもよい。
【００３９】
図７に示す非限定的な一例において、ローラー２２２は、第２の部分２１２内に画定された対向するスロット２３２内に受け入れられるように構成された対向するエンドピン２３０を含んでもよい。スロット２３２は細長くてもよく、それによりローラー２２２は、ストラップ１８０を調節可能に把持するためにスロット２３２の長さに沿って軸方向に移動することを許可される。例えば、ローラー２２２は、ローラー２２２と第１の部材１９２との間で（例えば、ローラー２２２と第１の部材１９２の対向する壁１９６のうちの１つとの間で）ストラップ１８０を把持するために、第１の位置に例えば自動的に移動してもよい（例えば、バックル１９０の底に向けて下向きに下げられる）。ローラー２２２と第１の部材１９２との間での把持を解放するために、ローラー２２２は第２の位置に移動されてもよい（例えば、バックル１９０の上部に向けて上向きに持ち上げられる）。そのような実施形態において、第１の部材１９２に対して相対的なローラー２２２の移動により、ローラー２２２と第１の部材１９２との間の距離は変化してもよい。例えば、第１の位置へのローラー２２２の移動により、ローラー２２２と第１の部材１９２との間の距離は減少してもよい。同様に、第２の位置へのローラー２２２の移動により、ローラー２２２と第１の部材１９２との間の距離は増加してもよい。この変化する距離は、様々なやり方で実現されてもよい。例えば、好ましい実施形態では、対向する壁１９６の収束する性質により、ローラー２２２がキャビティ１９８内を移動するにつれて、ローラー２２２と第１の部材１９２との間の距離は変化してもよい。加えて又は代替として、第２の部材１９４の構造によって、例えばとりわけ、対向する壁１９６のうちの１つに向けて傾けられたスロット２３２によって、ローラー２２２と第１の部材１９２との間の変化する距離が画定されてもよい。
【００４０】
ローラー２２２と第１の部材１９２との間の変化する距離は、ストラップ１８０をバックル１９０内に選択的に束縛するように構成されてもよい。例えば、ローラー２２２がその第１の位置に位置付けられると、ストラップ１８０はローラー２２２と第１の部材１９２との間で圧縮されて、バックル１９０とストラップ１８０との間の十分な程度の摩擦が提供されてもよい。そのような実施形態において、前記第２の方向におけるストラップ１８０の引き続きの移動により、ストラップ１８０はローラー２２２と第１の部材１９２との間でますます圧縮されてもよく、それにより、内部仕切り１４０が第１の格納容積１４２内の内容物に対抗して押し付けられる際にバックル１９０がストラップ１８０にロックされてもよい。ローラー２２２がその第２の位置に位置付けられると、ローラー２２２と第１の部材１９２との間のストラップ１８０の圧縮は減少し（例えば除去され）、したがってストラップ１８０はバックル１９０に対して相対的に自由に移動してもよい。
【００４１】
いくつかの実施形態では、ローラー２２２は、その第１の位置に自動的に収まってストラップ１８０に自動的にロックされるようにバイアスされてもよい。例えば、ローラー２２２は、重力によって、バイアス要素（例えばバネ）によって、及び／又は、上述のようにバックル１９０を通したストラップ１８０の移動そのものによって、その第１の位置に向けてバイアスされてもよい。ローラー２２２の（及びより一般的には係合部材２２０の）その第１の位置に自動的に収まる特性により、内部仕切り１４０を対向する壁１４４に向けて引くためにストラップが締め付けられる際にバックル１９０がストラップ１８０に自動的にロックされることが可能になってもよい。そのような実施形態において、ローラー２２２はストラップ１８０から選択的に解放可能であってもよい。例えば、ローラー２２２のその第２の位置への移動により、ストラップ１８０が解放されて、ストラップ１８０がバックル１９０内で反対方向に移動することが可能になってもよく、内部仕切り１４０が対向する壁１４４から離れるように移動されることが可能になってもよい。ローラー２２２は様々な手法で、例えば以下で説明するように、バックル１９０の第１の部材１９２に対して相対的な第２の部材１９４の移動によって、その第２の位置に移動されてもよい。
【００４２】
図８〜図１０に示す非限定的な別の例では、ローラー２２２は中空管であってもよい。そのような実施形態では、対向するボス２４０が、第２の部分２１２から互いに向けて延在してもよい。ローラー２２２は、図７を参照して上述した実施形態と実質的に同じ機能を可能にするために、ボス２４０に回転可能に結合されてもよい。例えば、ローラー２２２が上述のようにその第１の位置及び第２の位置に移動されることを可能にするために、ボス２４０はローラー２２２の内部ボアより環状に小さなサイズにされてもよい。
【００４３】
いくつかの実施形態では、各バックル１９０の第２の部材１９４は、ローラー２２２をその第１の位置及び第２の位置に位置付けてストラップ１８０をバックル１９０内でそれぞれ選択的に束縛又は解放するために、第１の部材１９２に対して相対的に移動してもよい。例えば、第２の部材１９４は、ローラー２２２を第１の部材１９２のキャビティ１９８内でより低く（例えばその第１の位置に）位置付けるために、例えば上述のように自動的に又は使用者による手動操作を介して、下向きに移動されてもよい（図５を参照）。同様に、第２の部材１９４は、ローラー２２２を第１の部材１９２のキャビティ１９８内でより高く（例えばその第２の位置に）位置付けるために、上向きに移動されてもよい（図４を参照）。第１の部材と第２の部材１９４との分解を制限するために、第２の部材１９４は第１の部材１９２にスナップ嵌合されてもよい。例えば図６及び図８に示すように、第２の部材１９４は、弾性タブ２５０であってタブ２５０から外向きに延在するシェルフ２５２を含む、弾性タブ２５０を含んでもよく、シェルフ２５２は、第１の部材１９２から離れる第２の部材１９４の移動を制限するために、第１の部材１９２の底表面に係合するように構成される。
【００４４】
第２の部材１９４は、利便性のためのその他の特徴を含んでもよい。例えば、第２の部材１９４の第１の部分２１０は、キャビティ１９８への開口より大きなサイズの、第２の部材１９４内の実質的に平面状の要素であってもよい。そのような構成により、第１の部材１９２に向けた第２の部材１９４の移動が制限され得る。いくつかの実施形態では、第１の部分２１０内にスロット２６０が画定されてもよい（図６及び図７を参照）。スロット２６０は、第１の部材１９２のキャビティ１９８の上に画定されてもよい。そのような実施形態では、ストラップ１８０は、第１の部材１９２のキャビティ１９８を通り、且つ第２の部材１９４のスロット２６０を通って、例えば実質的に一直線に延在してもよい。いくつかの実施形態では、ハンドル２６２が第１の部材２１０から（例えば第１の部材２１０の上部から）延在してもよい。そのような実施形態では、ストラップ１８０をバックル１９０から選択的に解放するため、例えば第２の部材１９４を第１の部材１９２から離れるように移動して上述のようにローラー２２２をその第２の位置に移動するために、使用者がハンドル２６２を（直接的に又は間接的に）つかんで第２の部材１９４を第１の部材１９２に対して相対的に移動してもよい。一実施形態では、バックル１９０を通したストラップ１８０の除去を制限するために、ストラップ１８０の端がハンドル２６２に結合されてもよい。いくつかの実施形態では、解放ストラップ２６４がハンドル２６２に結合されてもよい（図４及び図５を参照）。そのような実施形態では、ストラップ１８０をバックル１９０から選択的に解放するため、例えば第２の部材１９４を第１の部材１９２から離れるように移動して上述のようにローラー２２２をその第２の位置に移動するために、解放ストラップ２６４が引かれてもよい。いくつかの実施形態では、ストラップ１８０及び解放ストラップ２６４は、内部仕切り１４０を締め付けるため又は緩めるためにどちらのストラップを引くべきかを使用者に示す表示を含んでもよい。
【００４５】
手荷物ケース１００は、手荷物ケース１００の内部格納容積１０２内の所定の位置に周辺フレーム１６０を保持するように構成された複数のコーナー部材２７０を含んでもよい。好ましい実施形態では、コーナー部材２７０は内部仕切り１４０を２つの方向のうちの一方に向けてバイアスする（図４及び図５を参照）。一実施形態では、コーナー部材２７０は、バネ又はその他のバイアス部品を含んでもよく、内部仕切り１４０を手荷物ケース１００の対向する壁１４４に対して相対的にバイアスしてもよい。例えば、コーナー部材２７０は、内部仕切り１４０を対向する壁１４４に向けて又は対向する壁１４４から離れるようにバイアスしてもよい。いくつかの実施形態では、コーナー部材２７０は、対向する壁１４４からの内部仕切り１４０の距離に基づいて、内部仕切り１４０を対向する壁１４４に向けて及び／又は対向する壁１４４から離れるようにバイアスしてもよい。例えば、コーナー部材２７０が手荷物ケース１００に接続されている点に又はそれより上に、内部仕切り１４０が位置付けられている場合、コーナー部材２７０は内部仕切り１４０を対向する壁１４４から離れるようにバイアスしてもよい。これは、第１の格納容積１４２の容易な荷詰めのために、内部仕切り１４０を対向する壁１４４から離れるように持ち上げるのに役立ち得る。同様に、コーナー部材２７０が手荷物ケース１００に接続されている点に又はそれより下に、内部仕切り１４０が位置付けられている場合、コーナー部材２７０は内部仕切り１４０を対向する壁１４４に向けてバイアスしてもよい。これは、第１の格納容積１４２が利用されない又は所望されない場合に、内部仕切り１４０を対向する壁１４４に隣接して位置付けるために役立ち得る。そのようなバイアス構成により、内部仕切り１４０が、上方に突出した位置（図３Ａを参照）から下方に反転した位置（図２を参照）まで又はその逆に「フリップ」することが可能になってもよい。
【００４６】
コーナー部材２７０は好ましくは内部仕切り１４０を対向する壁１４４に向けて及び／又は対向する壁１４４から離れるようにバイアスするが、いくつかの実施形態では前記部材２７０は無バイアスであってもよい。そのような実施形態において、コーナー部材２７０は周辺フレーム１６０を所定の位置に単に保持する。一実施形態では、コーナー部材２７０は、周辺フレーム１６０を所定の位置に配置し保持するための半硬質のストリップ又は可撓性のストラップであってもよい。本明細書中に記載する実施形態では、コーナー部材２７０は周辺フレーム１６０のコーナーに配置されてもよい。コーナー部材２７０は手荷物ケース１００内で対角線状に延在してもよい。
【００４７】
コーナー部材２７０は内部仕切り１４０に多数の手法で結合されてもよい。例えば、限定されないが、コーナー部材２７０はバックル１９０に、例えばバックル１９０の第１の部材１９２に結合されてもよい。加えて又は代替として、コーナー部材２７０は、内部仕切り１４０の周辺フレーム１６０に（例えば周辺フレーム１６０のコーナーにおいて）結合されてもよい。好ましい実施形態では、手荷物ケース１００は、内部仕切り１４０のコーナーの近くに且つ手荷物ケース１００のコーナーの近くに位置付けられた４つのコーナー部材２７０を含むが、その他の構成も企図される。図示されているように、コーナー部材２７０はガセット１５０の下で視界から隠されてもよい。
【００４８】
内部仕切り１４０の動作についてここで詳細に説明する。第１の格納容積１４２に荷詰めするために、内部仕切り１４０が例えばコーナー部材２７０のバイアス下で対向する壁１４４から離れるように移動されて、第１の格納容積１４２の容積が増加される（図２を参照）。内部仕切り１４０の平面状パネル１６２内の選択的開口１７０が、第１の格納容積１４２へのアクセスのために開かれてもよい（図３Ｂを参照）。使用者は次に、第１の格納容積１４２に、所望の量の衣類などの持ち物を荷詰めする。開口１７０は次に、内部仕切り１４０の連続的なパネルを画定するために、選択的に閉じられる。ストラップ１８０をそれらの実効長を減らすことによって締め付けて、それにより内部仕切り１４０を第１の格納容積１４２内の内容物に対抗して押し付けるために、ストラップ１８０はバックル１９０に対して相対的に前記第１の方向に移動される。内部仕切り１４０によって内容物が所望の量だけ、例えば輸送中に前記内容物がずれるのを制限するための十分な量だけ圧縮されるまで、ストラップ１８０は締め付けられてもよい。圧縮された内容物は、内部仕切り１４０を対向する壁１４４から離れるようにバイアスする傾向のある反対力を内部仕切り１４０に対して提供してもよく、それにより各ストラップ１８０はバックル１９０に対して相対的に前記第２の方向に移動するようにバイアスされる。上述のように、バックル１９０に対して相対的な前記第２の方向におけるストラップ１８０のバイアスされた移動により、例えば各バックル１９０のローラー２２２がその第１の位置に位置付けられることによって、ストラップ１８０はバックル１９０内に効果的にロックされる。
【００４９】
（例えば第１の格納容積１４２を荷解きするために）前記内容物の圧縮の量を減らすことを使用者が所望する場合、使用者はストラップ１８０上のバックル１９０の把持係合を解放する。例えば、使用者はバックル１９０の第２の部材１９４を第１の部材１９２に対して相対的に持ち上げて、ローラー２２２をその第２の位置に位置付け、それによりストラップ１８０とバックル１９０との間の摩擦係合を解放する。第１の格納容積１４２内の内容物に対する圧縮の量を減らすために、各ストラップ１８０の実効長が次に増加される。内部仕切り１４０内の開口１７０が開かれ、第１の格納容積１４２内の内容物が除去されてもよい。
【００５０】
手荷物ケース１００は様々な材料及び手段から形成されてよい。例えば手荷物ケース１００は、とりわけ、熱可塑性材料（自己強化又は繊維強化）、ＡＢＳ、ポリカーボネート、ポリプロピレン、ポリスチレン、ＰＶＣ、ポリアミド、及び／又はＰＴＦＥから形成されてもよい。いくつかの実施形態では、周辺フレーム１６０は、アルミニウム又はその他の類似した金属で押し出し成形されてもよい。加えて、周辺フレーム１６０は、繊維強化エポキシ、樹脂、又はその他の類似した材料から形成されてもよい。手荷物ケース１００は、プラグ成形、ブロー成形、射出成形、押し出し成形、鋳造などの任意の好適な手法で形成又は成形されてもよい。手荷物ケース１００は、軟質側面材料及び／又は硬質側面材料から形成されてもよい。軟質側面材料は、とりわけ、ナイロン、キャンバス、ポリエステル、皮、ＰＶＣ、ポリプロピレン、ポリエチレン、及び／又はＰＴＦＥであってもよい。硬質側面材料は、とりわけ、熱可塑性材料（自己強化又は繊維強化）、ＡＢＳ、ポリカーボネート、ポリプロピレン、ポリスチレン、ＰＶＣ、ポリアミド、及び／又はＰＴＦＥであってもよい。
【００５１】
全ての相対性及び方向に関する言及（上方（ｕｐｐｅｒ）、下方（ｌｏｗｅｒ）、上向き（ｕｐｗａｒｄ）、下向き（ｄｏｗｎｗａｒｄ）、左（ｌｅｆｔ）、右（ｒｉｇｈｔ）、左向き（ｌｅｆｔｗａｒｄ）、右向き（ｒｉｇｈｔｗａｒｄ）、上（ｔｏｐ）、底（ｂｏｔｔｏｍ）、側（ｓｉｄｅ）、上（ａｂｏｖｅ）、下（ｂｅｌｏｗ）、フロント（ｆｒｏｎｔ）、ミドル（ｍｉｄｄｌｅ）、バック（ｂａｃｋ）、垂直（ｖｅｒｔｉｃａｌ）、水平（ｈｏｒｉｚｏｎｔａｌ）などを含む）は、本明細書中に記載した特定の実施形態を読者が理解するのを助けるための例として示されたものである。これらは特許請求の範囲において特に明記しない限り、特に位置、向き、又は使用に関する要件又は制限であると解釈されるべきではない。接続に関する言及（例えば、装着され（ａｔｔａｃｈｅｄ）、結合され（ｃｏｕｐｌｅｄ）、接続され（ｃｏｎｎｅｃｔｅｄ）、接合され（ｊｏｉｎｅｄ）など）は広く解釈されるべきであり、要素の接続の間の中間部材、及び要素間の相対移動を含んでもよい。したがって、接続に関する言及は、特許請求の範囲において特に明記しない限り、２つの要素が直接接続され互いに固定された関係にあることを必ずしも意味しない。
【００５２】
当業者は、現在開示された実施形態が、限定によってではなく例として教示するものであることを理解するであろう。したがって、上記の説明に含まれている事項又は添付の図面に示されている事項は、限定的な意味においてではなく例示的なものとして解釈されるべきである。特許請求の範囲は、本明細書中に記載した全ての一般的な特徴及び特定の特徴、並びに言語の問題としてそれらの間に入ると言われ得る本方法及びシステムの範囲の全ての言明を包含することが意図される。
【図１】
2018114286.tif 000003
【図２】
2018114286.tif 000004
【図３Ａ】
2018114286.tif 000005
【図３Ｂ】
2018114286.tif 000006
【図４】
2018114286.tif 000007
【図５】
2018114286.tif 000008
【図６】
2018114286.tif 000009
【図７】
2018114286.tif 000010
【図８】
2018114286.tif 000011
【図９】
2018114286.tif 000012
【図１０】
2018114286.tif 000013
【図１１】
2018114286.tif 000014
【外国語明細書】
2018114286000001.pdf